(57)【要約】【課題】ターゲット広告を含んだ注文書印刷システムを提供する。【解決手段】本発明は、ターゲット広告を含んだ注文書印刷システムに関するものであって、加盟店端末機が注文者情報からターゲット広告特性値を抽出し、該抽出されたターゲット広告特性値に対応するターゲット広告を広告サーバーに要請して受信し、該受信したターゲット広告を当該注文者の注文書の特定領域に含ませてターゲット広告が含まれた注文書を印刷するように具現することによって、注文書を広告媒体化できるようにして効率的なターゲットマーケッティングを遂行できるようにしたものである。【選択図】図３
2009163707.tif 000002
【特許請求の範囲】
【請求項１】
注文者情報からターゲット広告特性値を抽出する特性値抽出部と、
前記特性値抽出部によって抽出されたターゲット広告特性値に対応するターゲット広告を広告サーバーに要請して受信するターゲット広告受信部と、
前記ターゲット広告受信部によって受信したターゲット広告を当該注文者の注文書の特定領域に含ませるターゲット広告処理部と、
前記ターゲット広告処理部によってターゲット広告が含まれた注文書を印刷する注文書印刷部と、を含む加盟店端末機を含んでなることを特徴とするターゲット広告を含んだ注文書印刷システム。
【請求項２】
前記特性値抽出部は、
注文者情報に含まれた注文者の年齢、性別、居住地域、関心分野を参照してターゲット広告特性値を抽出することを特徴とする請求項１に記載のターゲット広告を含んだ注文書印刷システム。
【請求項３】
少なくとも一つの加盟店端末機からターゲット広告特性値に対応するターゲット広告要請を受信するターゲット広告要請受信部と、
前記ターゲット広告要請受信部によって受信されたターゲット広告特性値に対応するターゲット広告をデータベースを検索して抽出するターゲット広告抽出部と、
前記ターゲット広告抽出部によって抽出されたターゲット広告特性値に対応するターゲット広告を前記加盟店端末機に伝送するターゲット広告伝送部と、を含む広告サーバーを含むことを特徴とするターゲット広告を含んだ注文書印刷システム。
【請求項４】
前記広告サーバーは、
広告主端末機に広告設定及びターゲット広告の入力のためのユーザーインターフェースを提供し、これを介して広告設定及びターゲット広告を入力される広告情報処理部と、
前記広告情報処理部によって入力された広告設定情報を分析してターゲット広告特性値を生成させる特性値生成部と、
前記広告情報処理部によって入力されたターゲット広告を前記特性値生成部によって生成されたターゲット広告特性値とマッチングさせてデータベースに保存するターゲット広告登録簿と、をさらに含むことを特徴とする請求項３に記載のターゲット広告を含んだ注文書印刷システム。
【請求項５】
前記広告サーバーは、
前記ターゲット広告伝送部によって加盟店端末機にターゲット広告が伝送された場合、当該加盟店に広告費を支払うように処理する広告費処理部をさらに含むことを特徴とする請求項４に記載のターゲット広告を含んだ注文書印刷システム。
【請求項６】
前記広告費処理部は、
当該加盟店口座に特定の広告費を入金処理することを特徴とする請求項５に記載のターゲット広告を含んだ注文書印刷システム。
【請求項７】
前記広告情報処理部によって入力される広告設定情報は、
年齢、性別、地域、分野選択情報を含むことを特徴とする請求項４に記載のターゲット広告を含んだ注文書印刷システム。
【請求項８】
前記ターゲット広告抽出部は、
ターゲット広告特性値に対応するターゲット広告が複数検索された場合、検索されたターゲット広告のうち何れか一つを選択することを特徴とする請求項３に記載のターゲット広告を含んだ注文書印刷システム。
【発明の詳細な説明】
【技術分野】
【０００１】
本発明は、ターゲット広告を含んだ注文書印刷システムに係り、特に、オンラインショッピングモールで注文した顧客に配送される配送物品と同封されて配送される注文書印刷技術とに関する。
【背景技術】
【０００２】
オンラインショッピングモールで商品を注文すれば、オンラインショッピングモール業体は、例えば、図１に図示したような注文書を印刷して注文した顧客に配送される配送物品と同封して配送する。
【０００３】
このようなオンラインショッピングモールで注文した顧客に配送される配送物品と同封されて配送される注文書とに広告を含ませば、注文書を広告媒体として利用することができる。
【０００４】
本発明者は、このような点に着眼してオンラインショッピングモールで注文した顧客に配送される配送物品と同封されて配送される注文書とに少なくとも一つの広告を含むことによって、注文書を広告媒体化できる技術についての研究をした。
【発明の開示】
【発明が解決しようとする課題】
【０００５】
本発明は、前記した趣旨下に発明されたものであって、オンラインショッピングモールで注文した顧客に配送される配送物品と同封されて配送される注文書とに注文者情報を基盤としたターゲット広告を含ませて印刷するようにしたターゲット広告を含んだ注文書印刷システムを提供することをその目的とする。
【課題を解決するための手段】
【０００６】
前記目的を果たすためのターゲット広告を含んだ注文書印刷システムの一態様によれば、本発明によるターゲット広告を含んだ注文書印刷システムが注文者情報からターゲット広告特性値を抽出し、該抽出されたターゲット広告特性値に対応するターゲット広告を広告サーバーに要請して受信し、該受信したターゲット広告を当該注文者の注文書の特定領域に含ませてターゲット広告が含まれた注文書を印刷する加盟店端末機を含むことを特徴とする。
【０００７】
本発明のまた他の態様によれば、本発明によるターゲット広告を含んだ注文書印刷システムが少なくとも一つの加盟店端末機からターゲット広告特性値に対応するターゲット広告要請を受信し、ターゲット広告特性値に対応するターゲット広告をデータベースを検索して抽出し、該抽出されたターゲット広告特性値に対応するターゲット広告を前記加盟店端末機に伝送する広告サーバーを含むことを特徴とする。
【発明の効果】
【０００８】
本発明の第１及び第２実施例による畜糞資源の燃料及び堆肥化装置によれば、畜糞を発酵本発明は、オンラインショッピングモールで商品を注文した顧客に配送される配送物品と同封されて配送される注文書とに注文者情報を基盤としたターゲット広告を含ませて印刷することによって、注文書を広告媒体化できる有用な効果を有する。
【０００９】
これにより、オンラインショッピングモールで注文した顧客に配送される配送物品と同封されて配送される注文書とを通じて効率的なターゲットマーケッティングを行える。
【発明を実施するための最良の形態】
【００１０】
以下、添付した図面を参照して記述される望ましい実施形態を通じて本発明を当業者が容易に理解して再現できるように詳細に記述する。
【００１１】
図２は、本発明によるターゲット広告を含んだ注文書印刷システムの概要図である。図面に図示したように、本発明によるターゲット広告を含んだ注文書印刷システムは、ネットワークを介して広告サーバー２００にそれぞれ多数の加盟店端末機１００と広告主端末機３００とが連動される。
【００１２】
広告主は、広告主端末機３００を介してターゲット広告を広告サーバー２００に登録し、オンラインショッピングモール業体は、加盟店端末機１００を介して注文者情報に基づいたターゲット広告を前記広告サーバー２００に要請して受信し、商品を注文した顧客に配送される配送物品と同封されて配送される注文書とにターゲット広告を含ませて印刷して配送することによって、注文書を広告媒体化することができ、これにより、効率的なターゲットマーケッティングを行える。
【００１３】
図３を参照して、本発明によるターゲット広告を含んだ注文書印刷システムの具体的な構成を説明する。
【００１４】
図３は、本発明によるターゲット広告を含んだ注文書印刷システムの一実施形態によるブロック図である。
【００１５】
図面に図示したように、この実施形態によるターゲット広告を含んだ注文書印刷システムの加盟店端末機１００は、特性値抽出部１１０と、ターゲット広告受信部１２０と、ターゲット広告処理部１３０と、注文書印刷部１４０とを含んでなる。
【００１６】
前記特性値抽出部１１０は、注文者情報からターゲット広告特性値を抽出する。例えば、注文者は、注文者端末機（図示せず）を介して加盟店端末機１００から提供するオンラインショッピングモールサイトを利用するために会員加入手続きを通じて当該オンラインショッピングモールサイトに会員加入しなければならず、会員情報はデータベースに保存される。
【００１７】
この際、前記会員情報には、ＩＤ及びパスワードなどの会員識別情報と、姓名、年齢、居住地域、関心分野などの個人情報が含まれ、会員がオンラインショッピングモールを介して商品注文を要請すれば、当該会員が注文者になり、当該会員の会員情報が注文者情報になる。
【００１８】
この際、前記特性値抽出部１１０が、ターゲット広告を商品を注文した顧客に配送される配送物品と同封されて配送される注文書とに含ませて印刷するために、注文者情報に含まれた注文者の年齢、性別、居住地域、関心分野などを参照してターゲット広告特性値を抽出する。
【００１９】
例えば、注文者の年齢、性別、居住地域、関心分野などの各評価項目別にそれぞれ異なる特定値を定義し、この評価項目別の特定値を合算した値をターゲット広告特性値とすることができる。注文者の年齢の場合、１６歳から２０代未満を１値と定義し、２０歳以上から２５歳未満を２値と定義するなどのように、各年齢帯によって特定値を定義することができる。
【００２０】
一方、性別の場合、男性の場合１、女性の場合２のように特定値を定義することができる。一方、居住地域の場合、ソウル０１、釜山０２、済州９９などのように、地域によって特定値を定義することができる。一方、関心分野の場合、音楽感想０１、映画感想０２などのように、特定値を定義することができる。次いで、この評価項目別の特定値を合算すれば、注文者情報によって異なる合算値が導出され、この合算値をターゲット広告特性値と決めることができる。
【００２１】
前記ターゲット広告受信部１２０は、前記特性値抽出部１１０によって抽出されたターゲット広告特性値に対応するターゲット広告を広告サーバー２００に要請して受信する。すなわち、前記ような方法による注文者情報によってターゲット広告特性値が抽出されれば、前記ターゲット広告受信部１２０が広告サーバー２００にターゲット広告特性値に対応するターゲット広告を要請する。
【００２２】
次いで、広告サーバー２００は、データベースに保存されたターゲット広告のそれぞれにマッチングされたターゲット広告特性値と、前記受信したターゲット広告特性値とを比べてターゲット広告特性値が一致するターゲット広告を検索して、これを加盟店端末機１００に伝送し、加盟店端末機１００は、前記ターゲット広告受信部１２０を介してこれを受信する。
【００２３】
この際、前記広告サーバー２００が、ターゲット広告特性値に対応するターゲット広告が複数検索された場合、該検索されたターゲット広告のうち何れか一つを任意または手動で選択して伝送することによって、商品を注文した顧客に配送される配送物品と同封されて配送される注文書とに一つのターゲット広告が含まれるように具現することもでき、検索された複数のターゲット広告を複数伝送して商品を注文した顧客に配送される配送物品と同封されて配送される注文書とにターゲット広告が複数含まれるように具現することもできる。
【００２４】
前記ターゲット広告処理部１３０は、前記ターゲット広告受信部１２０によって受信したターゲット広告を当該注文者の注文書の特定領域に含ませる。すなわち、前記ターゲット広告受信部１２０によって広告サーバー２００からターゲット広告特性値に対応するターゲット広告が受信されれば、前記ターゲット広告処理部１３０が、図５に図示したように、商品注文者の注文書の特定領域に受信されたターゲット広告を含ませて印刷画面を構成する。
【００２５】
前記注文書印刷部１４０は、前記ターゲット広告処理部１３０によってターゲット広告が含まれた注文書を印刷する。すなわち、前記ターゲット広告処理部１３０によって、図５に図示したようなターゲット広告が含まれた注文書印刷画面が構成されれば、前記注文書印刷部１４０が、プリンター（Ｐｒｉｎｔｅｒ）などを介してターゲット広告が含まれた注文書を印刷する。
【００２６】
次いで、ショッピングモール業体は、この印刷されたターゲット広告が含まれた注文書を商品を注文した顧客に配送される配送物品に同封して受け取り住所に配送する。したがって、このようにすることによって、オンラインショッピングモールで商品を注文した顧客に配送される配送物品と同封されて配送される注文書とに注文者情報を基盤としたターゲット広告を含ませて印刷することによって、注文書を広告媒体化できるようになって、注文書を通じて効率的なターゲットマーケッティングを遂行できるので、前記で提示した本発明の目的を果たせうる。
【００２７】
図面に図示したように、この実施形態によるターゲット広告を含んだ注文書印刷システムの広告サーバー２００は、ターゲット広告要請受信部２１０と、ターゲット広告抽出部２２０と、ターゲット広告伝送部２３０とを含んでなる。
【００２８】
前記ターゲット広告要請受信部２１０は、少なくとも一つの加盟店端末機１００からターゲット広告特性値に対応するターゲット広告要請を受信する。すなわち、加盟店端末機１００が、注文者情報に基づいて抽出されたターゲット広告特性値に対応するターゲット広告を広告サーバー２００に要請すれば、前記ターゲット広告要請受信部２１０がこれを受信する。
【００２９】
前記ターゲット広告抽出部２２０は、前記ターゲット広告要請受信部２１０によって受信されたターゲット広告特性値に対応するターゲット広告をデータベースを検索して抽出する。すなわち、前記ターゲット広告要請受信部２１０によってターゲット広告特性値に対応するターゲット広告要請が受信されれば、前記ターゲット広告抽出部２２０は、データベースに保存されたターゲット広告のそれぞれにマッチングされたターゲット広告特性値と、前記受信したターゲット広告特性値とを比べてターゲット広告特性値が一致するターゲット広告を検索して抽出する。
【００３０】
この際、前記ターゲット広告抽出部２２０が、ターゲット広告特性値に対応するターゲット広告が複数検索された場合、検索されたターゲット広告のうち何れか一つを任意または手動で選択して商品を注文した顧客に配送される配送物品と同封されて配送される注文書とに一つのターゲット広告が含まれるように具現することもでき、検索された複数のターゲット広告を複数選択して商品を注文した顧客に配送される配送物品と同封されて配送される注文書とにターゲット広告が複数含まれるように具現することもできる。
【００３１】
前記ターゲット広告伝送部２３０は、前記ターゲット広告抽出部２２０によって抽出されたターゲット広告特性値に対応するターゲット広告を前記加盟店端末機１００に伝送する。すなわち、前記ターゲット広告抽出部２２０によってターゲット広告特性値に対応する少なくとも一つのターゲット広告が抽出されれば、前記ターゲット広告伝送部２３０が、これを加盟店端末機１００に伝送し、加盟店端末機１００は、これを受信して商品注文者の注文書の特定領域に受信されたターゲット広告を含ませて印刷する。
【００３２】
次いで、ショッピングモール業体は、この印刷されたターゲット広告が含まれた注文書を商品を注文した顧客に配送される配送物品に同封して受け取り住所に配送する。したがって、このようにすることによって、オンラインショッピングモールで商品を注文した顧客に配送される配送物品と同封されて配送される注文書とに注文者情報を基盤としたターゲット広告を含ませて印刷することによって、注文書を広告媒体化できるようになって注文書を通じて効率的なターゲットマーケッティングを遂行できるので、前記で提示した本発明の目的を果たせうる。
【００３３】
一方、本発明の付加的な態様によれば、本発明によるターゲット広告を含んだ注文書印刷システムの広告サーバー２００が、広告情報処理部２４０と、特性値生成部２５０と、ターゲット広告登録簿２６０とをさらに含みうる。
【００３４】
前記広告情報処理部２４０は、広告主端末機３００に広告設定及びターゲット広告の入力のためのユーザーインターフェースを提供し、これを介して広告設定及びターゲット広告を入力される。前記広告設定及びターゲット広告の入力のためのユーザーインターフェースは、例えば、図４に図示したように具現することができる。
【００３５】
図４を参照して説明すれば、性別、年齢、地域、関心分野（ショップカテゴリー）選択のための部分と、広告説明、広告カテゴリー、広告進行時間、広告イメージなどのターゲット広告の入力のための部分が図示されている。広告主は、広告主端末機３００に表示されるこのような広告設定及びターゲット広告の入力のためのユーザーインターフェースを介して易しくて簡便に広告設定及びターゲット広告を入力することができる。
【００３６】
前記特性値生成部２５０は、前記広告情報処理部２４０によって入力された広告設定情報を分析してターゲット広告特性値を生成させる。例えば、広告設定情報が、年齢、性別、地域、分野選択情報を含んでいれば、年齢、性別、地域、関心分野などの各評価項目別にそれぞれ異なる特定値を定義し、この評価項目別の特定値を合算してターゲット広告特性値を生成させることができる。
【００３７】
年齢の場合、１６歳から２０代未満を１値と定義し、２０歳以上から２５歳未満を２値と定義するなどのように、各年齢帯によって特定値を定義することができる。一方、性別の場合、男性の場合１、女性の場合２のように特定値を定義することができる。一方、居住地域の場合、ソウル０１、釜山０２、済州９９などのように、地域によって特定値を定義することができる。一方、関心分野の場合、音楽感想０１、映画感想０２などのように、特定値を定義することができる。次いで、この評価項目別の特定値を合算すれば、広告主が入力した広告設定情報によってターゲット広告特性値が生成される。
【００３８】
前記ターゲット広告登録簿２６０は、前記広告情報処理部２４０によって入力されたターゲット広告を前記特性値生成部２５０によって生成されたターゲット広告特性値とマッチングさせてデータベースに保存する。すなわち、前記ターゲット広告登録簿２６０によって広告設定及びターゲット広告が入力されるので、前記入力されたターゲット広告を前記入力された広告設定によって生成されるターゲット広告特性値とマッチングさせることができ、これをデータベースに保存することによって、加盟店端末機１００からのターゲット広告特性値に対応するターゲット広告要請時、広告サーバー２００が、このデータベースを検索してターゲット広告特性値に対応するターゲット広告を伝送させうる。
【００３９】
本発明の付加的な態様によれば、本発明によるターゲット広告を含んだ注文書印刷システムの広告サーバー２００が、広告費処理部２７０をさらに含むこともできる。前記広告費処理部２７０は、前記ターゲット広告伝送部２３０によって加盟店端末機１００にターゲット広告が伝送された場合、当該加盟店に広告費を支払うように処理する。
【００４０】
この際、前記広告費処理部が、当該加盟店口座に特定の広告費を入金処理するように具現することもできる。例えば、ショッピングモール業体が、自身の金融口座に広告主から特定金額を入金され、一部の中継手数料を差し引いて加盟店口座に特定の広告費を入金処理することができる。
【００４１】
すなわち、この実施形態は、オンラインショッピングモール業体で商品注文者の注文書に注文者情報を基盤としたターゲット広告を含ませて注文商品と同封して配送することによってなされるターゲットマーケッティングに対する代価を広告主からオンラインショッピングモール業体に支払うための実施形態である。
【００４２】
図６を参照して、前記した構成を有する本発明によるターゲット広告を含んだ注文書印刷システムの注文書印刷動作を説明する。図６は、本発明によるターゲット広告を含んだ注文書印刷システムの注文書印刷動作フローチャートである。
【００４３】
先ず、段階Ｓ１１０で、加盟店端末機１００が注文者情報からターゲット広告特性値を抽出する。
【００４４】
次いで、段階Ｓ１２０で、加盟店端末機１００が段階Ｓ１１０によって抽出されたターゲット広告特性値に対応するターゲット広告を広告サーバーに要請する。
【００４５】
次いで、段階Ｓ１３０で、広告サーバー２００が加盟店端末機１００からターゲット広告特性値に対応するターゲット広告要請を受信する。
【００４６】
次いで、段階Ｓ１４０で、広告サーバー２００が前記段階Ｓ１３０によって受信されたターゲット広告特性値に対応するターゲット広告をデータベースを検索して抽出する。
【００４７】
そして、段階Ｓ１５０で、広告サーバー１００が前記段階Ｓ１４０によって抽出されたターゲット広告特性値に対応するターゲット広告を前記加盟店端末機１００に伝送する。
【００４８】
次いで、段階Ｓ１６０で、加盟店端末機１００が広告サーバー２００から受信したターゲット広告を当該注文者の注文書の特定領域に含ませる。
【００４９】
最後に、段階Ｓ１７０で、加盟店端末機１００が前記段階Ｓ１６０によってターゲット広告が含まれた注文書を印刷する。
【００５０】
したがって、本発明は、オンラインショッピングモールで商品を注文した顧客に配送される配送物品と同封されて配送される注文書とに注文者情報を基盤としたターゲット広告を含ませて印刷することによって、注文書を広告媒体化することができ、これにより、オンラインショッピングモールで注文した顧客に配送される配送物品と同封されて配送される注文書とを通じて効率的なターゲットマーケッティングを遂行できるようになって、前記で提示した本発明の目的を果たせうる。
【００５１】
本発明は、添付した図面によって参照される望ましい実施形態を中心に記述されたが、このような記載から後述する特許請求の範囲によって包括される範囲内で本発明の範疇を外れずに多様な変形が可能であるということは明白である。
【産業上の利用可能性】
【００５２】
オンラインショッピングモールで注文した顧客に配送される配送物品と同封されて配送される注文書の印刷技術分野及び広告技術分野またはこれらの応用技術分野で産業上利用可能である。
【図面の簡単な説明】
【００５３】
【図１】通常のオンラインショッピングモール注文書の一例を図示した図面である。
【図２】本発明によるターゲット広告を含んだ注文書印刷システムの概要図である。
【図３】本発明によるターゲット広告を含んだ注文書印刷システムの一実施形態によるブロック図である。
【図４】広告設定及びターゲット広告の入力のためのユーザーインターフェースの一例を図示した図面である。
【図５】本発明によるターゲット広告を含んだ注文書印刷システムによるオンラインショッピングモール注文書の一例を図示した図面である。
【図６】本発明によるターゲット広告を含んだ注文書印刷システムの注文書印刷動作フローチャートである。
【符号の説明】
【００５４】
１００：加盟店端末機
１１０：特性値抽出部
１２０：ターゲット広告受信部
１３０：ターゲット広告処理部
１４０：注文書印刷部
２００：広告サーバー
２１０：ターゲット広告要請受信部
２２０：ターゲット広告抽出部
２３０：ターゲット広告伝送部
２４０：広告情報処理部
２５０：特性値生成部
２６０：ターゲット広告登録簿
２７０：広告費処理部
３００：広告主端末機
【図１】
2009163707.tif 000003
【図２】
2009163707.tif 000004
【図３】
2009163707.tif 000005
【図４】
2009163707.tif 000006
【図５】
2009163707.tif 000007
【図６】
2009163707.tif 000008